【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
時刻を表示する時刻表示部と、
基地局に接続する通信部と、
接続した前記基地局から当該基地局に関する固有の基地局情報を取得する基地局情報取得処理と、
前記基地局情報に基づいて、タイムゾーンに関する情報を取得するか否かを判断する取得判断処理と、
前記取得判断処理において、前記タイムゾーンに関する情報を取得すると判断した場合に、前記基地局情報に基づく前記タイムゾーンに関する情報を取得するタイムゾーン情報取得処理と、
取得した前記タイムゾーンに関する情報に基づいて表示時刻を修正する時刻修正処理と、を実行する制御部と、
を有することを特徴とする電子機器。
【請求項２】
請求項１に記載の電子機器において、
前回取得した基地局情報を記憶する記憶部を備え、
前記制御部は、
前記取得判断処理において、前記通信部を介して取得した前記基地局情報と、前記記憶部に記憶された前回取得した基地局情報とが一致した場合は、前記取得判断処理で前記タイムゾーンに関する情報を取得しないと判断する
ことを特徴とする電子機器。
【請求項３】
請求項１に記載の電子機器において、
過去に取得した基地局情報および時差情報を対応付けて記憶する記憶部を備え、
前記制御部は、
前記基地局情報取得処理で取得した前記基地局情報が、前記記憶部に記憶された過去に取得済みの基地局情報に含まれている場合は、前記取得判断処理で前記タイムゾーンに関する情報を取得しないと判断し、
前記記憶部に記憶された対応する時差情報を用いて表示時刻を修正する時刻修正処理を実行する
ことを特徴とする電子機器。
【請求項４】
請求項１から請求項３のいずれか一項に記載の電子機器において、
位置情報および時差情報を対応付けて記憶する時差情報記憶部を備え、
前記制御部は、
前記タイムゾーン情報取得処理として、
前記基地局情報を、前記基地局を介してネットワークに出力し、前記ネットワーク上に設けられて前記基地局情報と当該基地局に対応する位置情報とを記憶する位置情報サーバーから、前記基地局の位置情報を取得する位置情報取得処理と、
取得した前記基地局の位置情報に対応する時差情報を、前記時差情報記憶部から取得する時差情報取得処理とを実行し、
前記時刻修正処理として、前記時差情報取得処理で取得した前記時差情報を用いて表示時刻を修正する
ことを特徴とする電子機器。
【請求項５】
請求項１から請求項３のいずれか一項に記載の電子機器において、
前記制御部は、
前記タイムゾーン情報取得処理として、
前記基地局情報を、前記基地局を介してネットワークに出力し、前記ネットワーク上に
設けられて前記基地局情報と当該基地局に対応する位置情報とを記憶する位置情報サーバーから前記基地局の位置情報を取得する位置情報取得処理と、
前記基地局の位置情報を、前記基地局を介してネットワークに出力し、前記ネットワーク上に設けられて前記位置情報と当該位置情報に対応する時差情報とを記憶するタイムゾーンサーバーから、前記位置情報の時差情報を取得する時差情報取得処理とを実行し、
前記時刻修正処理として、前記時差情報取得処理で取得した前記時差情報を用いて表示時刻を修正する
ことを特徴とする電子機器。
【請求項６】
請求項１から請求項３のいずれか一項に記載の電子機器において、
前記制御部は、
前記タイムゾーン情報取得処理として、
前記基地局情報を、前記基地局を介してネットワークに出力し、前記ネットワーク上に設けられて前記基地局情報と当該基地局に対応する時差情報とを記憶する基地局時差情報サーバーから、前記基地局の時差情報を取得する時差情報取得処理を実行し、
前記時刻修正処理として、前記時差情報取得処理で取得した前記時差情報を用いて表示時刻を修正する
ことを特徴とする電子機器。
【請求項７】
請求項１から請求項６のいずれか一項に記載の電子機器において、
前記制御部は、
前記タイムゾーン情報取得処理において、同じ時差情報を、連続して複数回取得した場合に、前記時刻修正処理を実行する
ことを特徴とする電子機器。
【請求項８】
請求項７に記載の電子機器において、
前記制御部は、
前記基地局情報取得処理を、第１時間間隔で定期的に実行し、
前記タイムゾーン情報取得処理において、現在設定されている時差情報と異なる時差情報を取得した場合は、前記基地局情報取得処理を、前記第１時間間隔よりも短い第２時間間隔で実行する
ことを特徴とする電子機器。
【請求項９】
請求項１から請求項３のいずれか一項に記載の電子機器において、
操作部を備え、
前記制御部は、
前記操作部の操作に応じて時差修正を行う条件を選択し、
選択された条件に基づいて、前記時刻修正処理を実行する
ことを特徴とする電子機器。
【請求項１０】
請求項１から請求項９のいずれか一項に記載の電子機器において、
操作部を備え、
前記制御部は、前記タイムゾーン情報取得処理によって取得されたタイムゾーンに関する情報に基づいて表示時刻が修正された後に、前記操作部によって予め設定された操作が行われた場合は、修正前のタイムゾーンに戻して表示時刻を修正する
ことを特徴とする電子機器。
【請求項１１】
請求項１から請求項１０のいずれか一項に記載の電子機器において、
発電を行う発電部と、
前記発電部で充電される二次電池とを有する
ことを特徴とする電子機器。
【請求項１２】
請求項１１に記載の電子機器において、
前記制御部は、前記基地局情報取得処理を定期的に実行し、
前記発電部による発電が所定期間実行されない場合は、前記定期的な基地局情報取得処理を停止または実施頻度を低くする
ことを特徴とする電子機器。
【請求項１３】
請求項１から請求項１１のいずれか一項に記載の電子機器において、
前記制御部は、前記基地局情報取得処理を定期的に実行する
ことを特徴とする電子機器。
【請求項１４】
請求項１から請求項１３のいずれか一項に記載の電子機器において、
前記通信部は、前記基地局に対してＬＰＷＡの通信方式によって接続可能に構成されている
ことを特徴とする電子機器。
【請求項１５】
ネットワークを介して複数設けられた基地局と、
前記ネットワーク上に設けられて、前記基地局に関する固有の基地局情報と、前記基地局が存在する地点のタイムゾーンに関する情報とを対応付けて記憶するサーバーと、
前記基地局に対して接続可能な電子機器と、を備える時刻修正システムであって、
前記電子機器は、
時刻を表示する時刻表示部と、
前記基地局に接続する通信部と、
接続した前記基地局から当該基地局に関する固有の基地局情報を取得する基地局情報取得処理と、
前記基地局情報に基づいて、タイムゾーンに関する情報を取得するか否かを判断する取得判断処理と、
前記取得判断処理において、前記タイムゾーンに関する情報を取得すると判断した場合に、前記基地局情報に基づく前記タイムゾーンに関する情報を取得するタイムゾーン情報取得処理と、
取得した前記タイムゾーンに関する情報に基づいて表示時刻を修正する時刻修正処理と、を実行する制御部と、を有し、
前記サーバーは、前記電子機器から前記基地局情報を受信すると、当該基地局情報に対応する前記タイムゾーンに関する情報を前記電子機器に出力する
ことを特徴とする時刻修正システム。
【請求項１６】
時刻を表示する時刻表示部と、基地局に接続する通信部と、制御部と、を備える電子機器の制御方法であって、
前記制御部が、
接続した前記基地局から当該基地局に関する固有の基地局情報を取得することと、
前記基地局情報に基づいて、タイムゾーンに関する情報を取得するか否かを判断することと、
前記タイムゾーンに関する情報を取得すると判断した場合に、前記基地局情報に基づく前記タイムゾーンに関する情報を取得することと、
取得した前記タイムゾーンに関する情報に基づいて前記表示する時刻を修正することと、
を実行することを特徴とする電子機器の制御方法。
【手続補正２】
【補正対象書類名】明細書
【補正対象項目名】発明の名称
【補正方法】変更
【補正の内容】
【発明の名称】電子機器、時刻修正システムおよび電子機器の制御方法